(57)【要約】【課題】容易に静電気を地絡させることができ、かつ、簡易な構成で量産可能である半田細粒用容器を提供する。【解決手段】開口部を有する容器本体１Ａと、その容器本体１Ａの開口部を封止するシート状の蓋部材１Ｂとを備えた半田細粒用容器であって、前記容器本体１Ａは、底壁２の周縁から上方に延びる周壁３と、周壁３の頂部周縁から外側へ突出して周壁の周方向に沿って延びるフランジ８とを有し、前記蓋部材１Ｂは、外周位の所要部位に前記容器本体１Ａから張り出したつまみ部１２を有しており、前記容器本体１Ａおよび蓋部材１Ｂの両面には導電層が設けられ、前記蓋部材１Ｂの片面側の周縁部が前記フランジ８に溶着されることで前記開口部が封止されている。【選択図】  図１
2004269015.tif 000002
【特許請求の範囲】
【請求項１】
開口部を有する容器本体と、その容器本体の開口部を封止するシート状の蓋部材とを備えた半田細粒用容器であって、
前記容器本体は、底壁の周縁から上方に延びる周壁と、周壁の頂部周縁から外側へ突出して周壁の周方向に沿って延びるフランジを有し、
前記蓋部材は、外周位の所要部位に前記容器本体から張り出したつまみ部を有しており、
前記容器本体および蓋部材の両面には導電層が設けられ、
前記蓋部材の片面側の周縁部が前記フランジに溶着されることで前記開口部が封止されていることを特徴とする半田細粒用容器。
【発明の詳細な説明】
【０００１】
【発明の属する技術分野】
本発明は、半田細粒用容器に関する。
【０００２】
【従来の技術】
従来より、多機能電子部品等の製造に用いられる半田細粒は、極微少な粒子であり、一定量の半田粒子を容器に収容し流通されている。この半田細粒用容器としては、例えば図５に示すような容器が用いられている。この半田細粒用容器は、有底円筒体であり外側上部に牡ネジが螺設されている容器本体１０１と、上部にフランジが形成された浅底の有底円筒体であり、底面にはフィルターが張設されるとともに孔が穿設されている中蓋１０２と、前記中蓋の内部に収納可能な脱酸素剤１０３と、内側に本体の牡ネジと螺合可能な牝ネジが螺設された蓋部材１０４とから構成されており、前記容器本体１０１は帯電防止材で形成されている。
【０００３】
【特許文献１】
特開平１１−１１２１３２号公報
【０００４】
また、半田細粒は、種々の部品等で多用されており、これを収容する容器も広く流通しているため、従来より、高量産性が求められていた。しかし、従来の半田細粒用容器では、ねじ作用で外蓋を容器本体に固定しており、ねじ切りの必要性があり製作に手間がかかるとともに、開封にも手間を要していた。
【０００５】
【発明が解決しようとする課題】
本発明は、このような問題を鑑みて成されたものであり、容易に静電気を地絡させることができ、かつ、簡易な構成で量産可能である半田細粒用容器を提供することを技術的課題とする。
【０００６】
【課題を解決するための手段】
本発明は、半田細粒用容器であり、上記技術的課題を解決するために以下のように構成されている。
【０００７】
すなわち、開口部を有する容器本体と、その容器本体の開口部を封止するシート状の蓋部材とを備えた半田細粒用容器であって、前記容器本体は、底壁の周縁から上方に延びる周壁と、周壁の頂部周縁から外側へ突出して周壁の周方向に沿って延びるフランジとを有し、前記蓋部材は、外周位の所要部位に前記容器本体から張り出したつまみ部を有しており、前記容器本体および蓋部材の両面には導電層が設けられ、前記蓋部材の片面側の周縁部が前記フランジに溶着されることで前記開口部が封止されている。
【０００８】
前記容器本体及び前記蓋部材の両面に導電層が設けられ、前記蓋部材と容器本体のフランジが溶着されていることで、容器本体と蓋部材とを電気的に接続することができる。前記導電層とは、容器に帯電した静電気を容易に地絡させることができる導電性被膜、容器の表面固有抵抗を低下させることが可能な帯電防止被膜である。
【０００９】
尚、容器本体及び蓋部材は、例えば、ポリオレフィン系合成樹脂、ポリエステル系合成樹脂、ポリアミド系合成樹脂、ポリエチレン系合成樹脂等の熱可塑性合成樹脂、及び、これらの合成樹脂をブレンドしたものから形成することが望ましい。
【００１０】
加えて、本発明に係る半田細粒用容器は、容器本体からフランジが外側に突出して設けられており、このフランジと蓋部材が接着され容器本体の開口部が封止されているため、容器本体の上縁開口部を広く形成することが可能となり、半田細粒の収容、取出しを容易にすることができる。前記フランジと蓋部材との接着は熱溶着により接着可能であり、接着のために別途部材を設ける必要がないため、簡易な構成とすることができ、経済性、量産性に優れている。
【００１１】
また、前記蓋部材には、外周位の所要部位に前記容器本体から張り出したつまみ部を設けるているため、容器の開封を容易ならしめることができる。さらに、容器の開封の際につまみ部を指でつかむことにより、確実に容器内に帯電した静電気を地絡させることが可能となる。
【００１２】
前記容器本体と蓋部材のうちいずれか一方は透明性を有していることが望ましい。いずれか一方が透明性を有していることにより、蓋部材を封止した状態で中身を確認することが可能となる。
【００１３】
【発明の実施の形態】
以下本発明の実施の形態を図面に基づいて詳細に説明する。
（実施の形態１）
図１は、本実施の形態１に係る半田細粒用容器の斜視図であり、図２は、図１に示す半田細粒用容器の蓋部材のつまみ部と容器本体の断面図である。
【００１４】
容器本体１Ａは、略矩形を呈する底壁２と、この底壁２の周縁から上方へ延びる周壁３とから構成されている。容器本体１Ａには、底壁２と周壁３とに囲繞された収容部４と、周壁３の頂部周縁に囲繞された頂部開口とが画成されている。前記収容部４には、多数の半田細粒１１が収容されている。
【００１５】
容器本体１Ａは、ポリエチレンまたはポリプロビレン等のポリオレフィン系合成樹脂から作られており、その内面６全域と外面７全域とが導電性被膜９ａ，９ｂに被覆されている。導電性被膜９ａ，９ｂは、容器本体１Ａに帯電した静電気を地絡させることを容易にするもので、約１０６〜１０−８（Ω・ｃｍ）の抵抗率を有する。
【００１６】
前記周壁３は、その頂部周縁から底壁２と並行して周方向へ延びるフランジ８を画成している。このフランジ８の両面も導電性被膜９ａ，９ｂに被覆されている。また、この半田細粒用容器は、前記フランジ８の内面と固着され前記頂部開口を塞ぐ蓋部材１Ｂが取り付けられている。フランジ８の周縁部と蓋部材１Ｂの周縁部が固着されており、この固着には、ホットメルト接着剤、または、ヒートシールや超音波シール等の熱溶着を用いることができる。また、蓋部材１Ｂには、つまみ部１２が設けられており、このつまみ部１２を指で把持し開封することができるため、開封作業が容易となる。
【００１７】
すなわち、本実施の形態１に係る半田細粒用容器は、前記容器本体１Ａ及び蓋部材１Ｂでは、約１０６〜１０−８（Ω・ｃｍ）の抵抗率を有する導電性被膜９ａ，９ｃが導体となり、前記蓋部材１Ｂの内面１３周縁部と前記容器本体１Ａのフランジ８の内面６とが互いの表面に被覆された導電性被膜９ａ，９ｃを介して電気的に接続されている。従って、半田細粒用容器の内面６が表面摩擦によって帯電したとしても、例えば、開封時に前記つまみ部１２を把持することで、蓋部材１Ｂの内面１３の導電性被膜９ｃを介して静電気を地絡させることができる。また、容器本体１Ａの外面７と蓋部材１Ｂの外面１４にも導電性被膜９ｂ，９ｄが被覆されているため、半田細粒用容器に触れることで容器に帯電した静電気を地絡させることができる。
【００１８】
前記容器本体１Ａまたは蓋部材１Ｂを被覆する導電性被膜９ａ，９ｂ，９ｃ，９ｄは、静電気を地絡させることが可能な導電性を有するものであれば良いが、例えば、バインダーと導電性フィラーとから形成されたポリマー型導電性ペーストを使用することができる。バインダーとしては、アクリル樹脂や共重合ポリエステル、ポリウレタン、塩ビ酢ビ共重合体等の熱可塑性合成樹脂を使用することができる。前記バインダーは、導電性フィラーを容器本体１Ａ及び蓋部材１Ｂの内外面６，７，１３，１４に密着させると同時に、導電性フィラーを鎖状に連結して導電性を持たせ、さらに、導電性被膜９ａ，９ｂ，９ｃ，９ｄの物理的、科学的安定性を付与するものである。導電性フィラーとしては、ＡｇやＡｌ、Ｃｕ、Ｎｉ、Ｆｅ、Ｐｔ等の金属、カーボンブラック、グラファイト、酸化スズや酸化インジウム等の金属酸化物を使用することができる。
【００１９】
容器本体１Ａ及び蓋部材１Ｂは、熱可塑性合成樹脂を成形した後、それらの内外面６，７，１３，１４に導電性被膜９ａ，９ｂ，９ｃ，９ｄを形成することができる。その際には、高温プラズマ法や真空蒸着法の技術を好適に用いることができる。
【００２０】
しかし、あらかじめ導電性被膜９ａ，９ｂ，９ｃ，９ｄを被覆した合成樹脂シートを真空成型等を用いて成形し、容器本体１Ａ及び蓋部材１Ｂを形成することも可能である。容器本体１Ａ及び蓋部材１Ｂに成形する以前の合成樹脂シートに導電性被膜９ａ，９ｂ，９ｃ，９ｄを被覆するには、ロールコーティング法やエキストルージョン法、高温プラズマ法、真空蒸着法等の技術を利用することができる。
【００２１】
また、本実施の形態１に係る半田細粒用容器の容器本体１Ａ及び蓋部材１Ｂはポリオレフィン系合成樹脂から作られているが、このポリオレフィン系合成樹脂に帯電防止剤を混入しても良い。これにより、容器本体１Ａの表面固有抵抗を約１０１４〜１０１７（Ω／ｃｍ２）から約１０１１〜１０８（Ω／ｃｍ２）に低下させることができ、帯電を防止することが可能である。帯電防止剤としては、例えば、イミタリゾリン型両性界面活性剤カルシウム塩、アラニン型両性界面活性剤金属塩、ジアミン型両性界面活性剤金属塩を使用することができる。加えて、帯電防止剤として、導電性被膜を形成する導電性フィラーを使用することもできる。
【００２２】
さらに、本実施の形態１に係る半田細粒用容器は、容器本体１Ａと蓋部材１Ｂの表面全体に第４級アンモニウム塩であるラウリトルメチルアンモニウムクロライドによって表面処理を施してもよい。表面処理を施すことによって、表面摩擦により発生する電荷を低下させることが可能となる。
【００２３】
（実施の形態２）
図３は、本実施の形態２に係る半田細粒用容器の斜視図であり、図４は、図３に示す半田細粒用容器の蓋部材のつまみ部と容器本体の断面図である。実施の形態２に係る半田細粒用容器は、実施の形態１に係る半田細粒用容器とほぼ同様の構成を有するが、実施の形態１と異なり、底壁及び蓋部材が略円形であり、容器本体２Ａ、及び、蓋部材２Ｂの両面を被覆する被膜が異なっている。
【００２４】
この半田細粒用容器の容器本体２Ａは、略円形を呈する底壁２と、底壁２の周縁から上方へ延びる周壁３から構成され、周壁３が底壁２と並行して周方向外方へ延びるフランジ８を画成しており、内面６は導電性被膜１０ａに被覆されており、外面７は帯電防止性被膜１０ｂに被覆されている。容器本体１Ａの頂部開口を塞ぐ略円形の蓋部材２Ｂには所要位置につまみ部１２が設けられており、蓋部材の両面１３，１４は帯電防止性被膜１０ｃ，１０ｄに被覆されている。また、容器本体１Ａ，蓋部材１Ｂは共にポリオレフィン系合成樹脂から作られている。
【００２５】
この半田細粒用容器は、前記蓋部材２Ｂの内面１３周縁部と前記容器本体２Ｂのフランジ８の内面とが互いの表面に被覆された導電性被膜１０ａと帯電防止性被膜１０ｃを介して電気的に接続されている。従って、本実施の形態１と同様に、その容器内面が表面摩擦によって帯電したとしても、例えば、開封時に前記つまみ部１２を把持することで、蓋部材２Ｂの内面１３の帯電性防止被膜を介して静電気を地絡させることができる。
【００２６】
前記容器本体２Ａの内面６に導電性被膜１０ａを形成するには、実施の形態１と同様の技術を利用することができる。また、容器本体２Ａの外面７と蓋部材２Ｂ両面１３，１４を被覆する帯電防止性被膜１０ｂ，１０ｃ，１０ｄは、バインダーとそれに混入した帯電防止剤とから形成されている。この帯電防止性被膜を形成するには、導電性被膜を形成する場合と同様の方法を用いることができる。
【００２７】
帯電防止剤としては、ナフタリンスルホン酸塩や２−メチレン・カルボン酸スルホエステル、水溶性ポリスルホンアミド等のアニオン型帯電防止剤、１−オクタデシル−５−メチルビスグァナイド塩酸塩、ジブチルリン酸エステルとテトラエチレンベンタミンとからなる塩等のカチオン型帯電防止剤を使用することができる。さらに、帯電防止剤として、スチレンとスチレンウンデカン酸塩との共重合体，脂肪酸ビニルエステルと無水マイレン酸との共重合体等のアニオン系永久静電防止剤，ビニルビリジン重合体，共重合体を４級化した塩等のカチオン系永久静電防止剤を使用することもできる。
【００２８】
容器本体２Ａの外面７と蓋部材２Ｂの両面１３，１４は、帯電防止性被膜に被覆されているので、その表面固有抵抗を約１０１４〜１０１７（Ω／ｃｍ２）から約１０１１〜１０８（Ω／ｃｍ２）に低下させることができ、帯電を抑制することができる。
【００２９】
本実施の形態１，２に係る半田細粒用容器では、容器本体及び蓋部材、又は、容器本体及び蓋部材に成形する前の合成樹脂シートにコロナ放電処理やクロム酸化処理、紫外線照射等の表面酸化処理を施すことで、容器本体、蓋部材、及び、合成樹脂シートの表面を極性にし、導電性被膜や帯電防止性被膜の接着性を向上させることができる。さらに、本体、蓋部材、及び、合成樹脂シートの表面にサンドブラストや溶剤処理により表面に凹凸化を施すことで、表面の接着面積を増加させ、導電性被膜や帯電防止性被膜の接着力を向上させることができる。
【００３０】
加えて、本体容器及び蓋部材は、ポリエチレン／ポリプロビレン、ポリエチレン／ポリエステル等の互いに重なり合う２層の熱可塑性合成樹脂から形成しても良い。また、その他、クラフト紙、上質紙、連続発泡ポリスチレンから形成することが例示できる。
【００３１】
【発明の効果】
以上のように本発明によれば、半田細粒用容器の内部が帯電したとしても、容器に触れることにより、容器に被覆した導電層を介して容易に静電気を容器から地絡させることができる。また、容器全体を簡易な構成としたことで、製作が容易となり量産性を向上させることができる。
【００３２】
また、蓋部材につまみ部を設けているため、容器の開封作業が容易になるとともに、蓋部材及び容器本体の内面に被覆された導電性被膜若しくは帯電防止性被膜を介して、容器内部に帯電した静電気を確実に地絡させることができる。
【図面の簡単な説明】
【図１】本実施の形態１に係る半田細粒用容器の斜視図である。
【図２】本実施の形態１に係る半田細粒用容器のつまみ部の断面図である。
【図３】本実施の形態２に係る半田細粒用容器の斜視図である。
【図４】本実施の形態２に係る半田細粒用容器のつまみ部の断面図である。
【図５】従来の半田細粒用容器である。
【符号の説明】
１Ａ，２Ａ  容器本体
１Ｂ，２Ｂ  蓋部材
２  底壁
３  周壁
４  収容部
６  容器本体内面
７  容器本体外面
８  フランジ
９ａ，９ｂ，９ｃ，９ｄ，１０ａ  導電性被膜
１０ｂ，１０ｃ，１０ｄ  帯電防止性被膜
１１  半田細粒
１２  つまみ部
１３  蓋部材内面
１４  蓋部材外面
１０１  容器本体
１０２  中蓋
１０３  脱酸素剤
１０４  蓋部材
【図１】
2004269015.tif 000003
【図２】
2004269015.tif 000004
【図３】
2004269015.tif 000005
【図４】
2004269015.tif 000006
【図５】
2004269015.tif 000007